【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
設計した生態系の中の散逸構造内でエクセルギーを最適化するための方法であって、
エクセルギーキャリアを調節し、熱流束および熱貯臓器を含む熱管理システムを提供し、
ガス処理と、エクセルギーキャリアの操作と、濾過工程と、分離工程と、構造的エクセルギーの変換・濃縮とを含む大気管理システムを提供し、
太陽光および人工放射線の使用の最適化とを含む、放射工程および伝導工程を制御し、
水理学的循環を管理し、
マテリアルサイクルの操作を活用し、
エネルギーシステム原動機を提供し、
監視管理システムを提供し、
物質とエネルギーの経時的交換を活用した恒常性制御を提供する、物質とエネルギーのカスケードフローを管理しかつ活用することを含む建築システムを活用する、
散逸構造内でエクセルギーを最適化するための方法。
【請求項２】
藻類フォトバイオリアクタ（ＡＰＢＲ）は、菌糸体から採取した富化ＣＯ２を利用することを特徴とする請求項１に記載の方法。
【請求項３】
菌糸体の生産は、滅菌培地上での培養を含み、前記滅菌培地の生産は、好ましくは嫌気性消化によるサイレージを含むことを特徴とする請求項２に記載の方法。
【請求項４】
滅菌媒体の生産は、藻類フォトバイオリアクタ（ＡＰＢＲ）からの酸素の入力制御を介して熱的に調節される低温殺菌処理を含むことを特徴とする請求項３に記載の方法。
【請求項５】
設計した生態系の中の散逸構造でのエクセルギーを最適化するシステムであって、
エクセルギーキャリアと連通した熱流束貯蔵器を含む熱管理システムと、
フィルタと、分離手段と、活性剤と、エクセルギーキャリアムーバーと、ガス濃縮器とガス分配器と、ガス処理装置と、からなる群を備える大気管理システムと、
直接光と集中光とを使用する人工放射と太陽を最適化する放射工程コントローラと、
水理学的循環管理システムと、
マテリアルサイクルが、ガス、液体、または固体の扱者を含むマテリアルサイクルオペレータと、
エネルギー原動機システムと、
監視管理システムと、
物質とエネルギーのカスケードフローの恒常性制御と、エネルギーと物質の経時的交換の管理者とを含む建築システムと、
を備えている散逸構造でのエクセルギーを最適化にするシステム。
【請求項６】
熱貯蔵器は、その温度勾配が熱源とシンクと連絡する熱エクセルギーを保存するための、温度がそれぞれ指定された複数の貯蔵器を含むことを特徴とする請求項５に記載のシステム。
【請求項７】
熱貯蔵器は、顕熱・潜熱群からの蓄熱材料の種類を含むことを特徴とする請求項５に記載のシステム。
【請求項８】
ガス処理装置は、窒素、酸素、二酸化硫黄、二酸化炭素であるガスの分離、富化、分配、濃縮、および吸収の段階を処理するゼオライトや活性炭から成る群からの材料である分子ふるいを含むことを特徴とする請求項５に記載のシステム。
【請求項９】
ガス処理装置は、金属と、有機物と、二酸化チタン（ＴｉＯ２）から成る触媒群から選択された触媒性親水性表面と光触媒とを含むことを特徴とする請求項５に記載のシステム。
【請求項１０】
エクセルギーキャリアムーバーは、独立栄養生物、微生物、細菌、触媒から成る群からの活性剤を通過する前記エクセルギーキャリアを流す対流流体ループを備えることを特徴とする請求項５に記載のシステム。
【請求項１１】
フィルタは、前記活性剤を通過する前記エクセルギーキャリアを流す対流流体ループを含むことを特徴とする請求項５に記載のシステム。
【請求項１２】
物質の変換装置および濃縮装置は、分子、微粒子、揮発性有機化合物、二酸化硫黄、窒素酸化物から成る群からの前記変換装置と濃縮装置の物質を、酸素と、硫黄と、窒素の群を含む前記元素成分に変換する、微生物、独立栄養生物、細菌、触媒から成る群からの触媒を含む、請求項５に記載のシステム。
【請求項１３】
太陽と人工放射線の使用が直接光と集中光の構造を含んでおり、前記構造が、塔状建造物と、階段と、太陽煙突と、固定型追跡反射面と、ビームステアリング調整可能な焦点と、六角形建物の設計の群からなる構造であることを特徴とする請求項５に記載のシステム。
【請求項１４】
水理学的循環の管理は、水の貯蔵器への分離と、流体処理と、水の流入、構造的エクセルギー、時間的、および時間とイベントのレジスタからなるイベントの管理とを含むことを特徴とする請求項５に記載のシステム。
【請求項１５】
特定のイベントでの水の流入は、直接的なユーザ介入と、農薬散布の産業イベントと、汚染指数の群からのデータを用いてリアルタイムあるいはほぼリアルタイムに水をテストおよび分析する管理者によって、前記水の分離、前記水を他の同じ水質の水との組み合わせ、水質の決定を含むことを特徴とする請求項１４に記載のシステム。
【請求項１６】
水理学的循環の管理は、降水量の構造的エクセルギーの採取および保管を含むことを特徴とする請求項５記載のシステム。
【請求項１７】
除湿は、ゼオライト群からの乾燥剤を含むことを特徴とする請求項２９に記載のシステム。
【請求項１８】
乾燥剤は再充填され、当該乾燥剤は温度によって複数の熱貯蔵器システムから選択された蓄熱システムと連通し、前記乾燥剤は、選択された熱貯蔵器システムの温度まで増加的にもたらされ、含まれる水は相変化によって蒸気に変換し、前記蒸気は、複数の熱交換を介して放出された後に水に凝縮されて熱エネルギーの再採取工程を含むことを特徴とする請求項１７に記載のシステム。
【請求項１９】
資源分離は、化粧品、ローション、フッ化物、石油化学製品から成る群からの一般的な汚染物質と尿の分離に用いられる複数の排水を備えることを特徴とする請求項５に記載のシステム。
【請求項２０】
藻類フォトバイオリアクタ（ＡＰＢＲ）は、前記藻類フォトバイオリアクタ（ＡＰＢＲ）内に太陽と人工の群からの放射とつながる光合成を含み、前記光合成は、バイオマス生産とマテリアルサイクルのための酸化過程を提供することを特徴とする請求項５に記載のシステム。
【請求項２１】
熱化学的処理は、バイオ炭と熱分解オイルの群からの合成ガスの生産と、解重合と、熱分解と、ガス化とを含むことを特徴とする請求項５に記載のシステム。
【請求項２２】
触媒処理は、バイオマスの群からの合成ガスの生産、解重合、熱分解を含むことを特徴とする請求項５のシステム。
【請求項２３】
前記原動機は、ディーゼルと、カルノーと、ランキンと、熱音響原動機と、熱電発電装置の群から選択され、熱流束熱エネルギーと連絡していることを特徴とする請求項５に記載のシステム。
【請求項２４】
差圧は、相変化システムにおける熱エネルギーの束を利用することを含み、前記相変化は、液体をガスに膨張させ、またはその逆過程によって前記原動機を動作させることを特徴とする請求項５に記載のシステム。
【請求項２５】
物質とエネルギーのカスケードフローの恒常性制御は、物質輸送と、物質保管と、太陽エネルギーと、微気候と、単純拡散の群からの建物内の物質とエネルギー交換を含み、直接光と集中光の構造と、塔状建造物と、階段と、太陽煙突と、固定型追跡反射面と、ビームステアリング調整可能な焦点と、六角形建物の設計で構成される群からの建物構造と連絡しており、ルーバーと、シャッタと、フォトクロミック、熱変色性、エレクトロクロミックおよびフォトエレクトロクロミック技術と、リトラクタブルシェードネッティングとの群から光制御技術との連絡をそなえていることを特徴とする請求項５に記載のシステム
【請求項２６】
設計した生態系の中の散逸構造内のエクセルギーの抽出方法であって、
熱流束および貯蔵器を提供し、エクセルギーキャリアを調節し、
その温度勾配が熱源とヒートシンクに相互接続されている熱エクセルギーを保存するための指定温度範囲をそれぞれ持つ複数の貯蔵器を含むエクセルギー資源を提供し、
前記熱源とヒートシンクとが温度差と圧力差とを提供することを特徴とする散逸構造からのエクセルギーの抽出方法。
【請求項２７】
設計した生態系の中のヒートシンクは、前記熱流束熱エネルギーと連通し、カルノー、ランキン、熱音響、熱電発電装置の群からの原動機を備えることを特徴とする請求項２６に記載の方法。
【請求項２８】
乾燥剤の温度が熱貯蔵器システムの温度勾配を用いて増加的に上昇させる第一段階と、含まれる水が相変化によって蒸気に変換する第二段階と、相変化による体積変化によって前記蒸気が前記熱流束熱エネルギーを放出することによって前記原動機を駆動させる第三段階とがあり、設計した生態系の中の熱源とヒートシンクは前記蒸気を供給することを特徴とする請求項２６に記載の方法。
【請求項２９】
設計した生態系の中の差圧は、液体が相変化によってガスに膨張し、または、その逆過程が発生することによってブレイトンサイクルシステム、タービン、熱音響、熱電発電装置の群からの前記原動機を駆動させた時の相変化における前記熱流束の利用を含むことを特徴とする請求項２６に記載の方法。
【請求項３０】
設計した生態系の中のエクセルギー資源は、圧力スイング吸着（ＰＳＡ）に出力を与え、前記圧力スイング吸着（ＰＳＡ）システムは、ガスを分離および濃縮することを特徴とする請求項２６に記載の方法。
【請求項３１】
設計した生態系の中の散逸構造からエクセルギーを抽出するためのシステムであって、
熱流束と貯蔵器と、
調節されたエクセルギーキャリアと、
その温度勾配が熱源とヒートシンクに相互接続されている熱エクセルギー貯蔵のための指定温度範囲をそれぞれ持つ複数の貯蔵器からなるエクセルギー源と、
を備えており、
前記熱源とヒートシンクとが、ガス、蒸気、圧力、または熱の群から温度差と圧力差とを供給することを特徴とする散逸構造からエクセルギーを抽出するためのシステム。
【請求項３２】
設計した生態系の中で、ヒートシンクは、前記熱流束熱エネルギーと相互接続し、カルノー、ランキン、熱音響、熱電発電装置の群からの原動機を備えることを特徴とする請求項３１に記載のシステム。
【請求項３３】
設計した生態系の中の熱の貯蔵器は、潜熱、顕熱の群からの蓄熱材料を備えることを特徴とする請求項３１に記載のシステム。
【請求項３４】
設計した生態系の中の熱源とヒートシンクは、乾燥剤に接続された前記蒸気を供給し、前記熱の貯蔵システムの温度勾配を用いて乾燥剤の温度を段階的に上昇させ、前記熱流束熱エネルギーが、水の相を、前記原動機を動作させる蒸気に変化させることを特徴とする請求項３１に記載のシステム。
【請求項３５】
設計した生態系の中の前記熱と圧力は、ブレイトンサイクルシステムと、タービンと、熱音響原動機の群からの前記原動機を駆動する、液相の変化、当該液から膨張したガス、またはその逆過程、への熱流束を含むことを特徴とする請求項３１に記載のシステム。
【請求項３６】
設計した生態系の中のエクセルギー資源は、圧力スイング吸着（ＰＳＡ）に相互接続されていることを特徴とする請求項３１に記載のシステム。
【手続補正２】
【補正対象書類名】明細書
【補正対象項目名】０１１２
【補正方法】変更
【補正の内容】
【０１１２】
ＣＯ２は、藻類生産の多大なコストを表しているように、その生成のための新規なアプローチがキノコ菌糸体の生産システムを用いて作成されている。キノコの菌糸体は、菌糸体の崩壊有機材料として温室のための富化ＣＯ２を補足するために過去に使用されてきた環境で、一貫性のあるＣＯ２を３０００−５０００  ＰＰＭＳの間で生成する。また、新規の気流調整は菌糸体の生存率に影響を与えずに、過剰なＣＯ２産生を抽出することができるとすることができる。これは、追加の利点を提供するＣＯ２の調節可能な供給を可能にする．
【手続補正３】
【補正対象書類名】明細書
【補正対象項目名】０１９８
【補正方法】変更
【補正の内容】
【０１９８】
別の共生異化作用は、菌糸体による好気性消化である。菌糸体は、有機物を腐敗するため、３０００−５０００ｐｐｍｓのＣＯ２の大気環境を形成して維持する。先行技術は、多くの場合、温室でＣＯ２のレベルを高めるためにキノコ菌糸体生産システムを使用した。さらに、ＣＯ２は、藻類の適切な成長のために不可欠である。３０００−５０００  ｐｐｍｓのＣＯ２の濃度レベルは、１００％よりはるかに下にあるが、このレベルは、藻類の所望の指数増殖期を促進するのに十分である。したがって、藻類と菌糸体の生産は、双方がマテリアルサイクルオペレータとして共生プロセスを形成する。新規な空気流量調整を通じて、上昇ＣＯ２レベルの抽出は、菌糸体の生存能力に影響を与えることなく行うことができる。従来のＣＯ２の入力は、一般的に藻類の生産に多大なコストであるが、この方法は、新しい低コストの代替手段を提供する。
【手続補正４】
【補正対象書類名】明細書
【補正対象項目名】０２２２
【補正方法】変更
【補正の内容】
【０２２２】
出力システムとして、
暖房、冷房、大気質、水質、流出物、バイオマス、電気、ガス：Ｏ２／ＣＯ２／ＮＯＸ／ＳＯＸ／Ｈ／Ｃ／ＣＨ４、データ。